(57)【要約】【課題】本発明は、従来構成では不可能であった光加入者線端局装置（ＯＬＴ）からレンジング距離範囲より短距離にも接続可能な光加入者線終端装置（ＯＮＵ）および当該ＯＮＵを用いた光加入者システムを提供することを目的とする。【解決手段】本発明は、パッシブオプティカルネットワーク（ＰＯＮ：Ｐａｓｓｉｖｅ  Ｏｐｔｉｃａｌ  Ｎｅｔｗｏｒｋ）用光加入者システムに適用する光加入者線終端装置であって、前記光加入者線終端装置に対向する光加入者線端局装置からの下り光信号に対する前記光加入者線端局装置への上り光信号の応答を所定時間だけ遅延させる遅延機構を有することを特徴とする光加入者線終端装置である。【選択図】図１０
2010171641.tif 000002
【特許請求の範囲】
【請求項１】
パッシブオプティカルネットワーク（ＰＯＮ：Ｐａｓｓｉｖｅ  Ｏｐｔｉｃａｌ  Ｎｅｔｗｏｒｋ）用光加入者システムに適用する光加入者線終端装置であって、
前記光加入者線終端装置に対向する光加入者線端局装置からの下り光信号に対する前記光加入者線端局装置への上り光信号の応答を所定時間だけ遅延させる遅延機構を有することを特徴とする光加入者線終端装置。
【請求項２】
新たに接続される前記光加入者線終端装置を収容できる前記光加入者線端局装置のレンジング距離範囲がＬｍｉｎ以上、Ｌｍａｘ以下であるときに、前記所定の時間が、２×（Ｌｍｉｎ−L）／Ｖ以上、２×（Ｌｍａｘ−L）／Ｖ以下であることを特徴とする請求項１に記載の光加入者線終端装置。
但し、Ｌは前記光加入者線端局装置から前記光加入者線終端装置までの光加入者線を構成する光ファイバ長、Ｖは光ファイバ中の光速を表す。
【請求項３】
前記遅延機構が、光加入者線側に設けられた光ファイバによる遅延線であることを特徴とする請求項１又は２に記載の光加入者線終端装置。
【請求項４】
前記光ファイバによる遅延線が、前記光加入者線と双方向一芯多重のための上り光信号及び下り光信号を多重分離する光多重分離部との間に設けられていることを特徴とする請求項３に記載の光加入者線終端装置。
【請求項５】
前記光ファイバによる遅延線が、双方向一芯多重のための上り光信号及び下り光信号を多重分離する光多重分離部と前記下り光信号を下り方向の電気信号に変換する光加入者線受信部との間に設けられていることを特徴とする請求項３に記載の光加入者線終端装置。
【請求項６】
前記光ファイバによる遅延線が、双方向一芯多重のための上り光信号及び下り光信号を多重分離する光多重分離部と上り方向の電気信号を前記上り光信号に変換する光加入者線送信部との間に設けられていることを特徴とする請求項３に記載の光加入者線終端装置。
【請求項７】
前記遅延機構が、前記下り光信号から変換された電気信号又は前記下り光信号に変換する電気信号の処理を遅延させるバッファであることを特徴とする請求項１又は２に記載の光加入者線終端装置。
【請求項８】
請求項１に記載の前記光加入者線終端装置及び前記光加入者線終端装置に対向する光加入者線端局装置を備えるパッシブオプティカルネットワーク（ＰＯＮ：Ｐａｓｓｉｖｅ  Ｏｐｔｉｃａｌ  Ｎｅｔｗｏｒｋ）用光加入者システム。
【請求項９】
請求項１から７のいずれかに記載の前記光加入者線終端装置及び前記光加入者線終端装置に対向する光加入者線端局装置を備えるパッシブオプティカルネットワーク（ＰＯＮ：Ｐａｓｓｉｖｅ  Ｏｐｔｉｃａｌ  Ｎｅｔｗｏｒｋ）用光加入者システムであって、
新たに接続される前記光加入者線終端装置を収容できる前記光加入者線端局装置のレンジング距離範囲がＬｍｉｎ以上、Ｌｍａｘ以下であるときに、前記所定の時間が、２×（Ｌｍｉｎ−L）／Ｖ以上、２×（Ｌｍａｘ−L）／Ｖ以下であることを特徴とするパッシブオプティカルネットワーク（ＰＯＮ：Ｐａｓｓｉｖｅ  Ｏｐｔｉｃａｌ  Ｎｅｔｗｏｒｋ）用光加入者システム。
但し、Ｌは前記光加入者線端局装置から前記光加入者線終端装置までの光加入者線を構成する光ファイバ長、Ｖは光ファイバ中の光速を表す。
【請求項１０】
前記光加入者線端局装置と前記光加入者線終端装置との間に光ファイバを備え、前記光ファイバの長さＬが、Ｌｍｉｎ以下であることを特徴とする請求項９に記載のパッシブオプティカルネットワーク用光加入者システム。
【発明の詳細な説明】
【技術分野】
【０００１】
本発明は、パッシブオプティカルネットワーク（ＰＯＮ：Ｐａｓｓｉｖｅ  Ｏｐｔｉｃａｌ  Ｎｅｔｗｏｒｋ）用光加入者システムに適用する光加入者線終端装置（ＯＮＵ：Ｏｐｔｉｃａｌ  Ｎｅｔｗｏｒｋ  Ｕｎｉｔ）とそのＯＮＵを備える光加入者システムに関する。
【背景技術】
【０００２】
ＰＯＮ用光加入者システムは、１台の光加入者線局側装置（ＯＬＴ：Ｏｐｔｉｃａｌ  Ｌｉｎｅ  Ｔｅｒｍｉｎａｌ）と複数のＯＮＵとを光ファイバおよび光スプリッタで接続するポイント・ツー・マルチポイント型の加入者ネットワークシステムである。図１は、ＰＯＮ用光加入者システムを示す。９１−１、９１−２、９１−３はＯＮＵ、９２はＯＬＴ、９３は光スプリッタ、９４は光加入者線を構成する光ファイバを表す。図１に示すように、ＯＮＵ９１−１、９１−２、９１−３からの上り光信号は光ファイバ９４を伝搬し、光スプリッタ９３で合波され、ＯＬＴ９２に到達する。ＯＮＵ９１−１、９１−２、９１−３からの上り光信号の送信タイミングを制御しないと、各上り光信号が光スプリッタ９３で衝突してしまう。
【０００３】
ＰＯＮ用光加入者システムでは、ＯＮＵ９１−１、９１−２、９１−３からの上り光信号が光スプリッタ９３で衝突しないように、ＯＮＵ９１−１、９１−２、９１−３からの上り光信号の送信タイミングを制御する必要がある。図２は、ＰＯＮ用光加入者システムにおける衝突回避の方法を示す。図２（１）に示すように、ＯＬＴ９２から、各ＯＮＵへ送信タイミングを指示する送信許可を送信する。次に、図２（２）に示すように、各ＯＮＵは指示された送信タイミングで光信号を送信すると、光スプリッタ９３で合波された上り光信号は衝突を回避することができる。
【０００４】
送信許可の通知は、ＯＬＴから各ＯＮＵへ制御信号を送信することにより実現される。図３は、送信許可を通知する通信シーケンスを示す。ＯＬＴからＯＮＵ＃１までの伝搬遅延時間をＤ１、ＯＬＴからＯＮＵ＃２までの伝搬遅延時間をＤ２とすると、送信許可には、各ＯＮＵに対する送信タイミングと送信帯域が収容されている。送信帯域からは送信継続時間が算出される。各ＯＮＵは送信タイミングと送信継続時間に従って上り光信号の送信を行う。１台のＯＬＴには複数のＯＮＵが接続されている。ＯＬＴからＯＮＵまでの距離は、一般にＯＮＵごとに異なる。各ＯＮＵからの上り光信号が衝突しないように送信開始タイミングを制御するためには、ＯＬＴと各ＯＮＵとの間の伝搬遅延時間を予め測定しておく必要がある。この伝搬遅延時間は、ＯＮＵをＯＬＴに接続する際のディスカバリシーケンスで、ＯＬＴからの指示に従ってＯＬＴとＯＮＵとの間の伝搬往復時間（ＲＴＴ：Ｒｏｕｎｄ  Ｔｒｉｐ  Ｔｉｍｅ）を測定することによって、算出される。
【０００５】
ディスカバリシーケンスを図４に示す（例えば、非特許文献１参照。）。ディスカバリシーケンスの前に、ＯＬＴは、接続されたＯＮＵを自動的に発見し、ＯＬＴ−ＯＮＵ間の時間同期を確立する。ディスカバリシーケンスでは、まず、ＯＬＴからＯＮＵに対し、送信タイミングを通知するディスカバリゲートを送信する。これを受けたＯＮＵは、ＯＬＴに対して登録を要求するレジスタリクエストを送信する。その際、ＯＬＴは該当ＯＮＵとの間のＲＴＴを測定し、伝搬遅延時間を算出する。その後、ＯＮＵはＯＬＴに登録され、ＯＬＴからＯＮＵに対して、送信タイミング及び送信帯域を指示するゲートを送信する。
【０００６】
ＯＬＴと複数の既設ＯＮＵがすでに通信リンクを確立し、通信サービス中の光加入者システムにおいて、新設ＯＮＵが接続されると、既設ＯＮＵと通信サービスを継続しながら新設ＯＮＵに対しディスカバリシーケンスが実施される。その際、新設ＯＮＵの伝搬遅延時間が不明であるため、レジスタリクエストがどのタイミングで到着するか分からない。ディスカバリの際の新設ＯＮＵからの上り光信号と既設ＯＮＵからの上り光信号が衝突するのを回避するためには、新設ＯＮＵからの上り光信号が到着する可能性のある時間帯に既設ＯＮＵからの上り光信号が到着しないように、制御する必要がある。
【０００７】
衝突を回避する方法を図５に示す。新設ＯＮＵが、ＯＬＴから距離がＬｍｉｎ以上、Ｌｍａｘ以下にある場合、ＲＴＴは２×Ｌｍｉｎ／Ｖ以上、２×Ｌｍａｘ／Ｖ以下となる。ただし、Ｖは光ファイバ中の光速である。図５に示すように、ＯＬＴがディスカバリシーケンスを開始してから経過時間として２×Ｌｍｉｎ／Ｖ以上、２×Ｌｍａｘ／Ｖ以下の期間、既設ＯＮＵからの上り光信号が到着しないように制御すれば、ディスカバリシーケンスにおいても上り光信号の衝突を回避することができる。なお、この説明では、ＯＮＵでの信号処理時間は０とし、レジスタリクエストの送信継続時間も伝搬遅延時間に比べて十分小さく、無視し得るとした。
【０００８】
ＰＯＮ用光加入者システムでは、上記の通り、ＯＬＴ−ＯＮＵ間の距離とディスカバリシーケンスには密接な関係がある。通常、ＰＯＮ用光加入者システムでは、ＯＬＴ−ＯＮＵ間の距離に制約を設けている。この距離上の制約を、レンジング距離範囲と称する。例えば、ＩＴＵ−Ｔの標準規格Ｇ．９８４．３では、Ｌｍａｘ−Ｌｍｉｎ＝２０ｋｍ、Ｌｍａｘ≦６０ｋｍの制約がある。ここで、信号処理時間及びレジスタリクエストの送信継続時間等を考慮して、光信号の衝突を回避する時間を２５０μｓに設定している（例えば、非特許文献２参照。）。
【０００９】
レンジング距離範囲より長距離又は短距離に新設ＯＮＵを接続した場合のディスカバリシーケンスの一部を図６に示す。レンジング距離範囲より長距離又は短距離に新設ＯＮＵを接続すると、図６に示すように、新設ＯＮＵのレジスタリクエストと既設ＯＮＵの上り光信号の衝突が発生するため、ディスカバリシーケンスが実施できなくなる。さらに、通信リンクが確立している既設ＯＮＵの通信サービスを妨害する可能性もある。このことから、レンジング距離範囲外に新設ＯＮＵを接続することは禁止されている。
【００１０】
そのため、ＰＯＮ用光加入者システムでは、ＯＬＴのレンジング距離範囲の制約により、柔軟性が損なわれてしまう。例えば、レンジング距離範囲がＬｍｉｎ＝４０ｋｍ、Ｌｍａｘ＝６０ｋｍに設定されている光加入者システムでは、ＯＬＴから３０ｋｍの位置に新設ＯＮＵを接続することは不可能である。
【００１１】
一方、ＰＯＮ用中継装置の検討が行われている（例えば、非特許文献３参照。）。ＰＯＮ用中継装置９５を備える光加入者システムの構成を図７に示す。図７において、ＰＯＮ用中継装置９５は、ＯＬＴ９２と光スプリッタ９３との間に設置され、ＯＬＴ９２と長距離にあるＯＮＵ９１との間の中継機能を有する。
【００１２】
その際、ＰＯＮ用中継装置９５の監視制御が必要になる。監視制御機能を備えるＰＯＮ用中継装置も検討されている（例えば、非特許文献４参照。）。監視制御機能を備えるＰＯＮ用中継装置の構成を図８に示す。図８において、９５１−１、９５１−２は中継用の光増幅器、９５２は光増幅器監視制御回路、９５３は光増幅器監視制御通信用ＯＮＵ、９５４−１、９５４−２は波長多重用の光分離結合回路、９５５−１、９５５−２、９５５−３、９５５−４はモニタ用の光分離回路、９５６は光スプリッタである。下り光信号と上り光信号は光分離結合回路９５４−１、９５４−２でそれぞれ分離結合され、それぞれ光増幅器９５１−１、９５１−２で光増幅される。光増幅器９５１−１、９５１−２への入力又は出力の光信号は光分離回路９５５−１、９５５−２、９５５−３、９５５−４でモニタされ、適切な光レベルとなるように光増幅器監視制御回路９５２で監視制御される。監視制御情報は光増幅器監視制御通信用ＯＮＵ９５３を介して光増幅器監視制御回路９５２とＯＬＴとの間で送受信される。光増幅器監視制御通信用ＯＮＵ９５３は光スプリッタ９５６で光加入者線と結合される。
【００１３】
光増幅器監視制御通信用ＯＮＵ９５３を有するＰＯＮ用中継装置では、ＯＬＴまでの距離が通常のＯＮＵ−ＯＬＴ間の距離の半分程度になる状況も想定される。その際、通常のＯＮＵはレンジング距離範囲に収まるが、光増幅器監視制御通信用ＯＮＵはレンジング距離範囲外になる場合もある。その場合には、光増幅器監視制御通信用ＯＮＵが通信できなくなる。
【先行技術文献】
【非特許文献】
【００１４】
【非特許文献１】技術基礎講座“ＧＥ−ＰＯＮ技術”第２回ＩＥＥＥ８０２．３ａｈ標準規格、ＮＴＴ技術ジャーナル、２００５年９月
【非特許文献２】ＩＴＵ−Ｔ  Ｒｅｃｏｍｍｅｎｄａｔｉｏｎ  Ｇ．９８４．３、“Ｇｉｇａｂｉｔ−ｃａｐａｂｌｅ  Ｐａｓｓｉｖｅ  Ｏｐｔｉｃａｌ  Ｎｅｔｗｏｒｋｓ（Ｇ−ＰＯＮ）：Ｔｒａｎｓｍｉｓｓｉｏｎ  Ｃｏｎｖｅｒｇｅｎｃｅ  Ｌａｙｅｒ  Ｓｐｅｃｉｆｉｃａｔｉｏｎ”、  第１０章“Ａｃｔｉｖａｔｉｏｎ  Ｍｅｔｈｏｄ”、  ６７−８８頁、２００４年２月
【非特許文献３】「バースト対応光増幅器を用いた長距離ＰＯＮシステムの構成法」、鈴木他、信学技報、ＣＳ２００５−９０、２００６年３月
【非特許文献４】“Ｆｉｅｌｄ  Ｅｘｐｅｒｉｍｅｎｔ  ｗｉｔｈ  ａ  Ｈａｒｄｅｎｅｄ  ＧＰＯＮ  Ｒｅａｃｈ  Ｅｘｔｅｎｄｅｒ  ｗｉｔｈ  Ｄｕａｌ−Ｐａｒｅｎｔｉｎｇ  Ｐｒｏｔｅｃｔｉｏｎ”、Ｄｅｒｅｋ  Ｎｅｓｓｅｔ  ｅｔ  ａｌ、ＥＣＯＣ２００８、Ｔｈ．２、Ｆ．３、２００８年９月
【発明の概要】
【発明が解決しようとする課題】
【００１５】
本発明は、従来構成では不可能であったＯＬＴからレンジング距離範囲より短距離にも接続可能な光加入者線終端装置（ＯＮＵ）および当該ＯＮＵを用いた光加入者システムを提供することを目的とする。
【課題を解決するための手段】
【００１６】
上記目的を達成するために、本発明の光加入者線終端装置は、光加入者線側に遅延機構を有する。
【００１７】
具体的には、本発明は、パッシブオプティカルネットワーク（ＰＯＮ：Ｐａｓｓｉｖｅ  Ｏｐｔｉｃａｌ  Ｎｅｔｗｏｒｋ）用光加入者システムに適用する光加入者線終端装置であって、前記光加入者線終端装置に対向する光加入者線端局装置からの下り光信号に対する前記光加入者線端局装置への上り光信号の応答を所定時間だけ遅延させる遅延機構を有することを特徴とする光加入者線終端装置である。
【００１８】
本発明の光加入者線終端装置を備えるＰＯＮ用光加入者システムにおいて、ＯＬＴのレンジング距離範囲よりも短距離に接続されたＯＮＵとの間でも通信が可能となる。
【００１９】
本発明の光加入者線終端装置は、新たに接続される前記光加入者線終端装置を収容できる前記光加入者線端局装置のレンジング距離範囲がＬｍｉｎ以上、Ｌｍａｘ以下であるときに、前記所定の時間が、２×（Ｌｍｉｎ−L）／Ｖ以上、２×（Ｌｍａｘ−L）／Ｖ以下であればよい。
但し、Ｌは前記光加入者線端局装置から前記光加入者線終端装置までの光加入者線を構成する光ファイバ長、Ｖは光ファイバ中の光速を表す。
【００２０】
本発明の光加入者線終端装置は、前記遅延機構が、光加入者線側に設けられた光ファイバによる遅延線であってもよい。
【００２１】
本発明の光加入者線終端装置は、前記光ファイバによる遅延線が、前記光加入者線と双方向一芯多重のための上り光信号及び下り光信号を多重分離する光多重分離部との間に設けられてもよい。
【００２２】
本発明の光加入者線終端装置は、前記光ファイバによる遅延線が、双方向一芯多重のための上り光信号及び下り光信号を多重分離する光多重分離部と前記下り光信号を下り方向の電気信号に変換する光加入者線受信部との間に設けられてもよい
【００２３】
本発明の光加入者線終端装置は、前記光ファイバによる遅延線が、双方向一芯多重のための上り光信号及び下り光信号を多重分離する光多重分離部と上り方向の電気信号を前記上り光信号に変換する光加入者線送信部との間に設けられてもよい
【００２４】
本発明の光加入者線終端装置は、前記遅延機構が、前記下り光信号から変換された電気信号又は前記下り光信号に変換する電気信号の処理を遅延させるバッファであってもよい。
【００２５】
上記目的を達成するために、本発明のパッシブオプティカルネットワーク用光加入者システムは、光加入者線側に遅延機構を有するＯＮＵを備える。
【００２６】
具体的には、本発明は、上記記載の前記光加入者線端局装置及び前記光加入者線終端装置に対向する光加入者線端局装置を備えるパッシブオプティカルネットワーク（ＰＯＮ：Ｐａｓｓｉｖｅ  Ｏｐｔｉｃａｌ  Ｎｅｔｗｏｒｋ）用光加入者システムである。
【００２７】
本発明によれば、ＰＯＮ用光加入者システムにおいて、ＯＬＴのレンジング距離範囲よりも短距離に接続されたＯＮＵとの間でも通信が可能となる。
【００２８】
本発明は、前記いずれかに記載の光加入者線終端装置及び前記光加入者線終端装置に対向する光加入者線端局装置を備えるパッシブオプティカルネットワーク（ＰＯＮ：Ｐａｓｓｉｖｅ  Ｏｐｔｉｃａｌ  Ｎｅｔｗｏｒｋ）用光加入者システムであって、新たに接続される前記光加入者線終端装置を収容できる前記光加入者線端局装置のレンジング距離範囲がＬｍｉｎ以上、Ｌｍａｘ以下であるときに、前記所定の時間が、２×（Ｌｍｉｎ−Ｌ）／Ｖ以上、２×（Ｌｍａｘ−Ｌ）／Ｖ以下であることを特徴とするパッシブオプティカルネットワーク（ＰＯＮ：Ｐａｓｓｉｖｅ  Ｏｐｔｉｃａｌ  Ｎｅｔｗｏｒｋ）用光加入者システムである。
但し、Ｌは前記光加入者線端局装置から前記光加入者線終端装置までの光加入者線を構成する光ファイバ長、Ｖは光ファイバ中の光速を表す。
【００２９】
本発明のパッシブオプティカルネットワーク（ＰＯＮ：Ｐａｓｓｉｖｅ  Ｏｐｔｉｃａｌ  Ｎｅｔｗｏｒｋ）用光加入者システムは、前記光加入者線端局装置と前記光加入者線終端装置との間に光ファイバを備え、前記光ファイバの長さＬが、Ｌｍｉｎ以下が望ましい。
【００３０】
なお、上記各発明は、可能な限り組み合わせることができる。
【発明の効果】
【００３１】
本発明によれば、ＰＯＮ用光加入者システムにおいて、ＯＬＴのレンジング距離範囲よりも短距離に接続されたＯＮＵとの間でも通信が可能となる。
【図面の簡単な説明】
【００３２】
【図１】ＰＯＮ用光加入者システムを示す図である。
【図２】ＰＯＮ用光加入者システムにおける衝突回避の方法を示す図である。
【図３】送信許可を通知する通信シーメンスを示す図である。
【図４】ディスカバリシーケンスを示す図である。
【図５】衝突を回避する方法を示す図である。
【図６】レンジング距離範囲より長距離又は短距離に新設ＯＮＵを接続した場合のディスカバリシーケンスの一部を示す図である。
【図７】ＰＯＮ用中継装置９５を備える光加入者システムの構成を示す図である。
【図８】監視制御機能を備えるＰＯＮ用中継装置の構成を示す図である。
【図９】新設のＯＮＵを設置するＰＯＮ用光加入者システムを示す図である。
【図１０】ＯＬＴからの下り光信号に対するＯＬＴへの上り光信号の応答を所定時間だけ遅延させる遅延機構を有するＯＮＵを示す図である。
【図１１】ＯＮＵの遅延機構が、光加入者線側に設けられた光ファイバによる遅延線である例を示す図である。
【図１２】ＯＮＵの遅延機構が、電気信号を遅延させるバッファである例を示す図である。
【発明を実施するための形態】
【００３３】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００３４】
本実施形態のＯＮＵは、ＯＬＴからの下り光信号に対するＯＬＴへの上り光信号の応答を所定時間だけ遅延させる遅延機構を有する。遅延機構は、ＯＬＴからＯＮＵへの下り方向の信号に遅延時間を付与してもよいし、ＯＮＵからＯＬＴへの上り方向の信号に遅延時間を付与してもよい。
【００３５】
ＯＬＴからＯＮＵへの下り方向の信号に付与する遅延時間をＴｄ、ＯＮＵからＯＬＴへの上り方向の信号に付与する遅延時間をＴｕ、ＯＬＴのレンジング距離範囲をＬｍｉｎ以上、Ｌｍａｘ以下のとき、下り方向の信号に付与する遅延時間Ｔｄ及び上り方向の信号に付与する遅延時間Ｔｕの和を所定時間Ｔとし、所定時間Ｔを２×（Ｌｍｉｎ−Ｌ）／Ｖ以上、２×（Ｌｍａｘ−Ｌ）／Ｖ以下とする。但し、ＬはＯＬＴからＯＮＵまでの光ファイバ長、Ｖは光ファイバ中の光速を表す。
【００３６】
ＯＬＴから光ファイバの長さＬｍｉｎに設置されている既設のＯＮＵよりも短い光ファイバの長さＬに新設のＯＮＵを設置するＰＯＮ用光加入者システムを図９に示す。図９において、１０−１、１０−２、１０−３は既設のＯＮＵ、１０−４は新設のＯＮＵ、２０はＯＬＴ、３０、３１は光スプリッタ、４０は光加入者線を構成する光ファイバである。ＯＬＴ２０から最も長距離にある既設ＯＮＵ１０−２までの光ファイバ長はＬｍａｘ、ＯＬＴ２０から最も短距離にある既設ＯＮＵ１０−３までの光ファイバ長はＬｍｉｎである。ＰＯＮ用光加入者システムにおいて、レンジング距離範囲がＬｍｉｎ以上、Ｌｍａｘ以下に設定されているＯＬＴは、ＲＴＴが２×Ｌｍｉｎ／Ｖ以上、２×Ｌｍａｘ／Ｖ以下のＯＮＵに対しては、ディスカバリシーケンス実施、通信リンク確立、通信サービス提供が可能である。但し、説明を簡単にするために、ＯＮＵでの信号処理時間は０とし、レジスタリクエストの送信継続時間も伝搬遅延時間に比べて十分小さく、無視し得るとした。
【００３７】
一方、ＯＬＴとの距離ＬがＬｍｉｎ未満の新設ＯＮＵ１０−４については、ＯＬＴ−ＯＮＵ間のＲＴＴは２×Ｌｍｉｎ／Ｖ未満であることから、従来のＯＮＵではディスカバリシーケンス実施、通信リンク確立、通信サービス提供が不可能である。これを回避するため、図１０に示すように、本実施形態のＯＮＵは、ＯＬＴからの下り光信号に対するＯＬＴへの上り光信号の応答を所定時間だけ遅延させる遅延機構を有する。そのため、本実施形態のＯＮＵは、ＯＬＴとの距離ＬがＬｍｉｎ未満に接続されているにも関わらず、ＯＬＴとの間のＲＴＴが２×Ｌｍｉｎ／Ｖ以上、２×Ｌｍａｘ／Ｖ以下となり、ディスカバリシーケンス実施、通信リンク確立、通信サービス提供が可能となる。
【００３８】
ＯＮＵの遅延機構が、光加入者線側に設けられた光ファイバによる遅延線である例を図１１に示す。図１１において、１１ａ、１１ｂ、１１ｃは光ファイバによる遅延線、１２は双方向一芯多重のための上り光信号と下り光信号を多重分離する光多重分離部、１３はＯＬＴからの下り光信号を下り方向の電気信号に変換する光加入者線受信部、１４はＯＬＴへの上り方向の電気信号を上り光信号に変換する光加入者線送信部、１５は信号多重分離や信号同期機能等を有する信号処理部、１６はユーザインタフェース機能を有するユーザネットワークインタフェース（ＵＮＩ：Ｕｓｅｒ  Ｎｅｔｗｏｒｋ  Ｉｎｔｅｒｆａｃｅ）送受信部、４０は光加入者線を構成する光ファイバである。
【００３９】
図１１（ａ）では、光多重分離部１２の光加入者線側に長さｌａの光ファイバによる遅延線１１ａを有し、図１１（ｂ）では、光多重分離部１２と下り光信号を下り方向の電気信号に変換する光加入者線受信部１３との間に長さｌｂの光ファイバによる遅延線１１ｂを有し、図１１（ｃ）では、光多重分離部１２と上り方向の電気信号を上り光信号に変換する光加入者線送信部１４との間に長さｌｃの光ファイバによる遅延線１１ｃを有する。光多重分離部１２は、波長多重一芯双方向多重の場合は波長多重分離機能を有し、同一波長一芯双方向多重の場合は方向性結合機能を有する。
【００４０】
遅延線１１ａによる遅延量は、図１１（ａ）においては、所定時間Ｔ＝Ｔｄ＋Ｔｕ＝２×ｌａ／Ｖ、図１１（ｂ）においては、所定時間Ｔ＝Ｔｄ＝ｌｂ／Ｖ、図１１（ｃ）においては、所定時間Ｔ＝Ｔｕ＝ｌｃ／Ｖで与えられる。いずれの場合も所定時間Ｔを２×（Ｌｍｉｎ−L）／Ｖ以上、２×（Ｌｍａｘ−L）／Ｖ以下となるように設定している。但し、ＬはＯＬＴからＯＮＵまでの光ファイバ長、Ｖは光ファイバ中の光速を表す。
【００４１】
ＯＮＵの遅延機構が、電気信号を遅延させるバッファである例を図１２に示す。図１２において、１２は双方向一芯多重のための光多重分離部、１３はＯＬＴからの下り光信号を所定の電気信号に変換する光加入者線受信部、１４はＯＬＴへの電気信号を上り光信号に変換する光加入者線送信部、１５は信号多重分離や信号同期機能等を有する信号処理部、１６はユーザインタフェース機能を有するユーザネットワークインタフェース（ＵＮＩ：Ｕｓｅｒ  Ｎｅｔｗｏｒｋ  Ｉｎｔｅｒｆａｃｅ）送受信部、１７ａは下り光信号から変換された電気信号の処理を遅延させるバッファ、１７ｂは上り光信号に変換する電気信号の処理を遅延させるバッファ、４０は光加入者線を構成する光ファイバである。
【００４２】
図１２（ａ）では、下り光信号から変換された電気信号の処理を遅延させるバッファ１７ａのみ、図１２（ｂ）では、上り光信号に変換する電気信号の処理を遅延させるバッファ１７ｂのみ、図１２（ｃ）では、下り光信号から変換された電気信号の処理を遅延させるバッファ１７ａ及び上り光信号に変換する電気信号の処理を遅延させるバッファ１７ｂを有する。
【００４３】
バッファ１７ａによる遅延量は、図１２（ａ）においては、所定時間Ｔ＝Ｔｄ＝Ｍｄ／Ｂｄ、図１２（ｂ）においては、所定時間Ｔ＝Ｔｕ＝Ｍｕ／Ｂｕ、図１２（ｃ）においては、所定時間Ｔ＝Ｔｄ＋Ｔｕ＝Ｍｄ／Ｂｄ＋Ｍｕ／Ｂｕで与えられる。いずれの場合も所定時間Ｔを２×（Ｌｍｉｎ−L）／Ｖ以上、２×（Ｌｍａｘ−L）／Ｖ以下となるように設定している。但し、Ｍｄは下り信号バッファ１７ａのバッファメモリ長、Ｂｄは下り信号伝送速度、Ｍｕは上り信号バッファ１７ｂのバッファメモリ長、Ｂｕは上り信号伝送速度を表す。
【産業上の利用可能性】
【００４４】
本発明は、通信ネットワークのアクセス系に適用することができる。
【符号の説明】
【００４５】
１１ａ、１１ｂ、１１ｃ：光ファイバによる遅延線
１２：双方向一芯多重のための光多重分離部
１３：ＯＬＴからの下り光信号を所定の電気信号に変換する光加入者線受信部
１４：ＯＬＴへの電気信号を上り光信号に変換する光加入者線送信部
１５：信号多重分離や信号同期機能等を有する信号処理部
１６：ユーザインタフェース機能を有するユーザネットワークインタフェース（ＵＮＩ：Ｕｓｅｒ  Ｎｅｔｗｏｒｋ  Ｉｎｔｅｒｆａｃｅ）送受信部
１７ａ：下り光信号から変換された電気信号の処理を遅延させるバッファ
１７ｂ：上り光信号に変換する電気信号の処理を遅延させるバッファ
１０−１、１０−２、１０−３、１０−４：ＯＮＵ
２０：ＯＬＴ
３０、３１：光スプリッタ
４０：光加入者線を構成する光ファイバ
９１−１、９１−２、９１−３：ＯＮＵ
９２：ＯＬＴ
９３：光スプリッタ
９４：光ファイバ
９５：ＰＯＮ用中継装置
９５１−１、９５１−２：中継用の光増幅器
９５２：光増幅器監視制御回路
９５３：光増幅器監視制御通信用ＯＮＵ
９５４−１、９５４−２：波長多重用の光分離結合回路
９５５−１、９５５−２、９５５−３、９５５−４：モニタ用の光分離回路
９５６：光スプリッタ
【図１】
2010171641.tif 000003
【図２】
2010171641.tif 000004
【図３】
2010171641.tif 000005
【図４】
2010171641.tif 000006
【図５】
2010171641.tif 000007
【図６】
2010171641.tif 000008
【図７】
2010171641.tif 000009
【図８】
2010171641.tif 000010
【図９】
2010171641.tif 000011
【図１０】
2010171641.tif 000012
【図１１】
2010171641.tif 000013
【図１２】
2010171641.tif 000014